(57)【要約】【課題】落下等の外部衝撃により水タンクから外部に水が漏れてもアイロン本体、及びスタンドの内部の充電部に浸入せず、安全性の高いコードレスアイロンを提供する。【解決手段】アイロン本体と、前記アイロン本体に着脱自在に取り付けられる水タンクと、前記アイロン本体を後部が低くなるように傾斜させて載置するスタンドとを備え、前記アイロン本体は、前記スタンドの前記載置部に載置された時に前記水タンクより下方後方となる位置に水を外部に排水する排水路を設けたもので、水タンクから漏れた水はアイロン本体、スタンドの排水路を順次介して外部に排水され、安全性を高めることができる。【選択図】図１
2007105093.tif 000002
【特許請求の範囲】
【請求項１】
ヒータで加熱されるベースを有し、後部に給電ピンを設けたアイロン本体と、前記アイロン本体に着脱自在に取り付けられる水タンクと、前記アイロン本体を後部が低くなるように傾斜させて載置する載置部、および前記給電ピンと電気的に接続可能とした接続端子とを有するスタンドとを備え、前記アイロン本体は、前記スタンドの前記載置部に載置された時に前記水タンクより下方後方となる位置に水を外部に排水する排水路を設けたコードレスアイロン。
【請求項２】
排水路は、アイロン本体の水タンク底面後方と対向する位置に形成した水溜まり部に設けた請求項１記載のコードレスアイロン。
【請求項３】
排水路は、ベース上を避けた位置に設けた請求項１または２記載のコードレスアイロン。
【請求項４】
スタンドの載置部に、アイロン本体の排水路から排水された水を導き、前記スタンドの外部に排出するスタンド排水路を設けた請求項１〜３のいずれか１項記載のコードレスアイロン。
【発明の詳細な説明】
【技術分野】
【０００１】
本発明は、衣類等のしわ伸ばしに用いられるコードレスアイロンに関するものである。
【背景技術】
【０００２】
従来、この種のコードレスアイロンは、スタンド側に排水路を設けたものが一般的であった（例えば、特許文献１参照）。
【特許文献１】特開平１−１３５３９９号公報
【発明の開示】
【発明が解決しようとする課題】
【０００３】
しかしながら、このような従来の構成では、着脱自在な水タンクの取り扱いを誤って落下し、その衝撃により水漏れが発生した場合、それとは知らずスタンドに載置したアイロン本体に取り付けて、通電を開始すると、水タンクからの漏れた水が、アイロン本体およびスタンドを構成する部品の隙間より、配線等の充電部へ浸入し、感電や、温度制御を不安定にする恐れがあった。
【０００４】
本発明は、前記従来の課題を解決するもので、水タンクから外部に水が漏れ出しても安全性の高いコードレスアイロンを提供することを目的とする。
【課題を解決するための手段】
【０００５】
前記従来の課題を解決するために、本発明のコードレスアイロンは、ヒータで加熱されるベースを有し、後部に給電ピンを設けたアイロン本体と、前記アイロン本体に着脱自在に取り付けられる水タンクと、前記アイロン本体を後部が低くなるように傾斜させて載置する載置部、および前記給電ピンと電気的に接続可能とした接続端子とを有するスタンドとを備え、前記アイロン本体は、前記スタンドの前記載置部に載置された時に前記水タンクより下方後方となる位置に水を外部に排水する排水路を設けたもので、水タンクから漏れた水は排水路を通じてアイロン本体から外部に排水される。
【発明の効果】
【０００６】
本発明のコードレスアイロンは、水タンクから外部に水が漏れてもアイロン本体、及びスタンドの内部の充電部に浸入せず、安全性の高いコードレスアイロンを提供することができる。
【発明を実施するための最良の形態】
【０００７】
第１の発明は、ヒータで加熱されるベースを有し、後部に給電ピンを設けたアイロン本体と、前記アイロン本体に着脱自在に取り付けられる水タンクと、前記アイロン本体を後部が低くなるように傾斜させて載置する載置部、および前記給電ピンと電気的に接続可能とした接続端子とを有するスタンドとを備え、前記アイロン本体は、前記スタンドの前記載置部に載置された時に前記水タンクより下方後方となる位置に水を外部に排水する排水路を設けたもので、水タンクから外部に水が漏れ出してもアイロン本体の排水路を介して外部に排水され、アイロン本体内部に浸入せず、感電や誤動作を防止することができる。
【０００８】
第２の発明は、上記第１の発明において、排水路は、アイロン本体の水タンク底面後方と対向する位置に形成した水溜まり部に設けたもので、漏れた水を集めて確実に排水することができる。
【０００９】
第３の発明は、上記第１または第２の発明において、排水路は、ベース上を避けた位置に設けたもので、水タンクから漏れた水はアイロン本体の排水路からベースに降りかかることなくスタンド側に排水され、さらにスタンドの排水路から外部へ排水されるので、ベースが漏れた水で連続的に冷却されることはなく、適正な温度制御を確保することができる。
【００１０】
第４の発明は、上記第１〜第３のいずれかの発明において、スタンドの載置部に、アイロン本体の排水路から排水された水を導き、前記スタンドの外部に排出するスタンド排水路を設けたもので、アイロン本体の排水路から排水された水をスタンドに溜めることなくスタンド外部に排出することができるので、アイロン本体のみならず、スタンド内部への水の浸入を防止でき、感電や誤動作を防止することができる。
【００１１】
以下、本発明の実施の形態について、図面を参照しながら説明する。なお、本実施の形態によって本発明が限定されるものではない。
【００１２】
（実施の形態１）
図１は本発明の実施の形態１におけるコードレスアイロンの要部切欠き側断面図、図２は同コードレスアイロンのアイロン本体の側面図、図３は同コードレスアイロンのアイロン本体の平面図、図４は同コードレスアイロンのアイロン本体の底面図である。
【００１３】
図１〜図４において、１はアイロン本体で、ヒータ２により加熱されるベース３と、このベース３を覆う樹脂製のカバー４と、ハンドル５を有する筐体６と、ヒータ２と電気接続された給電ピン７を後方に配置し給電ピンを覆う裏カバー８とで構成されている。
【００１４】
カバー４の後方の左右両側にはそれぞれ水溜まり部９を形成し、この溜まり部９底面には、それぞれ外部へ水を排水する排水路となる排水口１０が設けてあり、これらの排水口１０は、図４に示すように、いずれもアイロン本体１をベース３に対し垂直方向から見たとき、ベース３上を避けたベース３上方から外れた位置に配置されている。
【００１５】
１１はアイロン本体１に着脱自在に配置された水タンクで、熱可塑性樹脂のポリカーボネートからなるタンク外郭１２とタンク底１３を溶着して水密に構成されている。そして、この水タンク１１をアイロン本体１に装着したとき、水タンク底面であるタンク底１３の後方と対向する位置にカバー４の水溜まり部９が位置するように構成されている。
【００１６】
２０はアイロン本体１の後方を前方よりやや低くして載置する載置部２１と、アイロン本体１を載置部２１に載置するとアイロン本体１の給電ピン７と電気的に接続する給電端子２２とを有したスタンドで、載置部２１にはスタンド排水路２３が設けられている。
【００１７】
載置部２１の上面は、前後端部より中央部が低くなるように傾斜させた形状としてあり、その中央部またはその近傍にスタンド排水路２３を位置させてある。
【００１８】
また、アイロン本体１をスタンド２０の載置部２１に載せたとき、排水口１０は、水タンク１１のタンク底１３より下方後方となるように、アイロン本体１のカバー４後部の水溜まり部９に設けてある。
【００１９】
また、アイロン本体１の排水口１０とスタンド２０のスタンド排水路２３との前後方向の位置関係は、排水口１０のほうが上方で後側になるように構成してある。すなわち、排水口１０から排出された漏水は、スタンド排水路２３より後方の載置部２１上面の傾斜部に落下し、傾斜を伝ってスタンド排水路２３に導かれるように構成してある。
【００２０】
以上のように構成されたコードレスアイロンの作用、動作について説明する。
【００２１】
落下等の外部衝撃により水タンク外郭１２とタンク底１３の溶着部が外れて溶着部から水漏れが発生し、それとは知らずアイロン本体１に取り付けた場合、通電を開始したとしても、水タンク１１の溶着部から漏れた水は、後方に低く傾斜したタンク底１３を伝い、カバー４の溜まり部９に集まり、その後、溜まった水はアイロン本体１の排水口１０よりアイロン本体１の外部に排出され、さらに、スタンド２０の載置部２１に後方傾斜部からスタンド排水路２３へと順次下方に排水され、スタンド２０の下方外部へと導かれる（図１の矢印方向）。
【００２２】
このとき、アイロン本体１の排水路１０はベース３上方より外れた位置にあるので、ベース３に降りかかることは無く、スタンド２０の載置部２１に滴下し、スタンド２０の排水路２３よりスタンド２０の下方外部に排水される。すなわち、ベース３が漏れた水で連続的に冷却されることはなく、適正な温度制御を確保することができる。
【産業上の利用可能性】
【００２３】
以上のように、本発明にかかるコードレスアイロンは、外部衝撃により水タンクから水漏れが発生したとしても、確実に外部へ排出し、アイロン本体、及びスタンド内部への浸入を防止し、安全性を高めたもので、家庭用、業務用のコードレスアイロンに広く適用できる。
【図面の簡単な説明】
【００２４】
【図１】本発明の実施の形態１におけるコードレスアイロンの要部切欠き側断面図
【図２】同コードレスアイロンのアイロン本体の側面図
【図３】同コードレスアイロンのアイロン本体の平面図
【図４】同コードレスアイロンのアイロン本体の底面図
【符号の説明】
【００２５】
１  アイロン本体
２  ヒータ
３  ベース
７  給電ピン
９  水溜まり部
１０  排水口（排水路）
１１  水タンク
２０  スタンド
２１  載置部
２２  接続端子
２３  スタンド排水路
【図１】
2007105093.tif 000003
【図２】
2007105093.tif 000004
【図３】
2007105093.tif 000005
【図４】
2007105093.tif 000006